【手続補正書】
【提出日】平成29年7月18日(2017.7.18)
【手続補正１】
【補正対象書類名】特許請求の範囲
【補正対象項目名】全文
【補正方法】変更
【補正の内容】
【特許請求の範囲】
【請求項１】
第１の補聴器と、第２の補聴器と、を備える補聴システムであって、
前記第１の補聴器は、
１つまたは複数の第１の電気入力信号を生成するための第１のセットのマイクロフォンと、
第１の音声信号を生成するために前記第１のセットのマイクロフォンに接続された第１のビームフォーマと、
第１の出力信号を生成するための第１の処理モジュールと、
第１の音声出力を生成するための第１のレシーバと、を備え、
前記第２の補聴器は、
１つまたは複数の第２の電気入力信号を生成するための第２のセットのマイクロフォンと、
第２の音声信号を生成するために前記第２のセットのマイクロフォンに接続された第２のビームフォーマと、
第２の出力信号を生成するための第２の処理モジュールと、
第２の音声出力を生成するための第２のレシーバと、を備え、
前記補聴システムの第１の動作モードにおける前記第１のビームフォーマは、第１の一次空間特性に従って前記第１の音声信号を生成するように構成され、
前記補聴システムの前記第１の動作モードにおける前記第２のビームフォーマは、第２の一次空間特性に従って前記第２の音声信号を生成するように構成され、
前記第１の一次空間特性は、第１の方向を有する第１のメインローブを有し、
前記第２の一次空間特性は、第２の方向を有する第２のメインローブを有し、
前記第２の方向は、前記第１の方向とは異なる、補聴システム。
【請求項２】
前記第１のビームフォーマを制御するために前記第１のビームフォーマに接続された第１のモード制御装置をさらに備える、請求項１に記載の補聴システム。
【請求項３】
前記第１のモード制御装置が、前記第２のビームフォーマを制御するために前記第２のビームフォーマに接続される、請求項２に記載の補聴システム。
【請求項４】
前記第２のビームフォーマを制御するために前記第２のビームフォーマに接続された第２のモード制御装置をさらに備える、請求項２に記載の補聴システム。
【請求項５】
前記第１の方向における前記第１の一次空間特性の利得と前記第１の方向における前記第２の一次空間特性の利得との差が、３ｄＢよりも大きい、請求項１に記載の補聴システム。
【請求項６】
前記第２の方向における前記第２の一次空間特性の利得と前記第２の方向における前記第１の一次空間特性の利得との差が、３ｄＢよりも大きい、請求項１に記載の補聴システム。
【請求項７】
前記第１のビームフォーマは、前記１つまたは複数の第２の電気入力信号に基づいて前記第１の音声信号を生成するために前記第２のセットのマイクロフォンの中の１つまたは複数のマイクロフォンに接続される、請求項１に記載の補聴システム。
【請求項８】
前記第２のビームフォーマは、前記１つまたは複数の第１の電気入力信号に基づいて前記第２の音声信号を生成するために前記第１のセットのマイクロフォンの中の１つまたは複数のマイクロフォンに接続される、請求項１に記載の補聴システム。
【請求項９】
前記第１の方向と前記第２の方向との間の角度が、１６０度〜２００度の間のいずれかである、請求項１に記載の補聴システム。
【請求項１０】
前記第１の方向が、０方向の±２０度の範囲内である、請求項１に記載の補聴システム。
【請求項１１】
前記第２の方向が、１８０方向の±６０度の範囲内である、請求項１に記載の補聴システム。
【請求項１２】
第１の補聴器および第２の補聴器を備える補聴システムで音声出力を生成するための方法であって、
前記補聴システムの第１の動作モードで第１の一次空間特性に従って第１の音声信号を生成するステップと、
前記補聴システムの前記第１の動作モードで第２の一次空間特性に従って第２の音声信号を生成するステップと、
前記第１の音声信号に基づいて第１の出力信号を生成するステップと、
前記第２の音声信号に基づいて第２の出力信号を生成するステップと、
前記第１の出力信号に基づいて第１の音声出力を生成するステップと、
前記第２の出力信号に基づいて第２の音声出力を生成するステップと
を含み、
前記第１の一次空間特性は、第１の方向を有する第１のメインローブを有し、
前記第２の一次空間特性は、第２の方向を有する第２のメインローブを有し、
前記第２の方向は、前記第１の方向とは異なる、方法。
【手続補正２】
【補正対象書類名】明細書
【補正対象項目名】０００７
【補正方法】変更
【補正の内容】
【０００７】
また、第１の補聴器および第２の補聴器を備える補聴システムで音声出力を生成するための方法が開示される。この方法は、補聴システムの第１の動作モードで第１の一次空間特性に従って第１の音声信号を生成するステップと、補聴システムの第１の動作モードで第２の一次空間特性に従って第２の音声信号を生成するステップと、第１の音声信号に基づいて第１の出力信号を生成するステップと、第２の音声信号に基づいて第２の出力信号を生成するステップと、第１の出力信号に基づいて第１の音声出力を生成するステップと、第２の出力信号に基づいて第２の音声出力を生成するステップとを含む。第１の一次空間特性は、第１の方向を有する第１のメインローブを有し、第２の一次空間特性は、第２の方向を有する第２のメインローブを有し、第２の方向は、第１の方向とは異なり得る。
【手続補正３】
【補正対象書類名】明細書
【補正対象項目名】００５５
【補正方法】変更
【補正の内容】
【００５５】
図５は、第１の補聴器および第２の補聴器を備える補聴システムで音声出力を生成するための例示の方法のフロー図である。方法１００は、補聴システムの第１の動作モードで第１の一次空間特性に従って第１の音声信号を例えば第１のビームフォーマ１６で生成するステップ（１０２）と、補聴システムの第１の動作モードで第２の一次空間特性に従って第２の音声信号を例えば第２のビームフォーマ４８で生成するステップ（１０４）とを含む。さらに、この方法は、第１の音声信号に基づいて第１の出力信号を生成するステップ（１０６）を含む。第１の出力信号を生成するステップは、ユーザの聴力損失を補償するステップを含み得る。この方法は、第２の音声信号に基づいて第２の出力信号を生成するステップ（１０８）を含む。第２の出力信号を生成するステップは、ユーザの聴力損失を補償するステップを含み得る。この方法は、第１の出力信号に基づいて第１の音声出力を生成するステップ（１１０）と、第２の出力信号に基づいて第２の音声出力を生成するステップ（１１２）とを含む。第１の一次空間特性は、第１の方向を有する第１のメインローブを有し、第２の一次空間特性は、第２の方向を有する第２のメインローブを有し、第２の方向は、第１の方向とは異なる。 
【手続補正４】
【補正対象書類名】明細書
【補正対象項目名】００６８
【補正方法】変更
【補正の内容】
【００６８】
項目１２．第１の補聴器および第２の補聴器を備える補聴システムで音声出力を生成するための方法であって、補聴システムの第１の動作モードで第１の一次空間特性に従って第１の音声信号を生成するステップと、補聴システムの第１の動作モードで第２の一次空間特性に従って第２の音声信号を生成するステップと、第１の音声信号に基づいて第１の出力信号を生成するステップと、第２の音声信号に基づいて第２の出力信号を生成するステップと、第１の出力信号に基づいて第１の音声出力を生成するステップと、第２の出力信号に基づいて第２の音声出力を生成するステップとを含み、第１の一次空間特性は、第１の方向を有する第１のメインローブを有し、第２の一次空間特性は、第２の方向を有する第２のメインローブを有し、第２の方向は、第１の方向とは異なる、方法。